【手続補正書】
【提出日】平成21年9月17日(2009.9.17)
【手続補正１】
【補正対象書類名】特許請求の範囲
【補正対象項目名】全文
【補正方法】変更
【補正の内容】
【特許請求の範囲】
【請求項１】
無変調キャリアを受信してデータを重畳させた変調反射波を送出する反射器を搭載した端末と、変調反射波からデータを読み取る反射波読取器を搭載したホストで構成される無線通信システムであって、
ホストは、ビーコン・フレームを定期的に送信するとともに、ビーコン・フレームの送信後に設けられるエントリ期間に渡って無変調キャリアを送出し続け、端末は、ホストからビーコン・フレームを受信したことに応答して、エントリ期間内に受信した無変調キャリアの反射波に重畳させてエントリ・フレームを返信する、
ことを特徴とする無線通信システム。
【請求項２】
ホストは、ビーコン・フレームに使用する通信周波数チャネルの情報やホストの固有ＩＤなどからなるホスト情報を記載し、
ビーコン・フレームを受信した端末は、当該ビーコン・フレームの送信元のホストと接続したい場合には、端末の固有ＩＤや設定可能な通信パラメータなどの情報をエントリ・フレームに記載し、
ホストは、エントリ・フレームの記載内容に基づいて端末の情報を取得し、接続したい端末に対して接続要求フレームを送信し、接続要求に応じて端末から接続応答フレームが返信されることによってホストと端末間の通信接続が確立する、
ことを特徴とする請求項１に記載の無線通信システム。
【請求項３】
端末は、複数のホストから送信されたビーコン・フレームをすべて受信してエントリ・フレームを返信する複数ビーコン受信機能を備え、エントリ・フレームを受信したいずれかのホストが当該端末との通信を選択する、
ことを特徴とする請求項１に記載の無線通信システム。
【請求項４】
端末は、最初に受信したビーコン・フレームの送信元であるホストに同期して、以後そのホストのビーコン・フレームのみを受信する単一ビーコン受信機能を備える、
ことを特徴とする請求項１に記載の無線通信システム。
【請求項５】
端末は、あらかじめ登録されたホストからのビーコン・フレームのみを受信してエントリ・フレームを返信する指定ビーコン受信機能を備える、
ことを特徴とする請求項１に記載の無線通信システム。
【請求項６】
１以上の端末からエントリ・フレームを受信したホスト側において、ユーザが選択した端末と接続を開始する、
ことを特徴とする請求項１に記載の無線通信システム。
【請求項７】
端末は、ユーザによって操作され接続ホストを選択して、送信データがある旨を通知するための送信要求付きエントリ・フレームを送信し、
ホストは、送信要求付きエントリ・フレームを受信すると、当該エントリ・フレームの要求元である端末との接続を開始する、
ことを特徴とする請求項１に記載の無線通信システム。
【請求項８】
反射器を備えた端末に対して無変調キャリアを送出するとともに、前記端末からの該無変調キャリアに対する反射波にデータが重畳された変調反射波信号を読み取る反射波読取器を搭載した無線通信装置であって、
定期的にビーコン・フレームを送信するビーコン・フレーム送信手段と、
ビーコン・フレームを送信した後にエントリ期間を設け、当該エントリ期間に渡って無変調キャリアを送出し続け、端末からの変調反射波に重畳されたエントリ・フレームを待ち受けるエントリ・フレーム受信手段と、
を具備することを特徴とする無線通信装置。
【請求項９】
前記ビーコン・フレーム送信手段は、ビーコン・フレームに使用する通信周波数チャネルの情報やホストの固有ＩＤなどからなるホスト情報を記載し、
前記エントリ・フレーム受信手段は、エントリ・フレームの記載内容に基づいて端末の情報を取得し、
接続したい端末に対して接続要求フレームを送信し、接続要求に応じて端末から接続応答フレームが返信されることによってホストと端末間の通信接続が確立する接続制御手段をさらに備える、
ことを特徴とする請求項８に記載の無線通信装置。
【請求項１０】
前記ビーコン・フレーム送信手段は、キャリア・センスを行なった後に、アイドル状態の通信周波数チャネルでビーコン・フレームの送信を開始する、
ことを特徴とする請求項９に記載の無線通信装置。
【請求項１１】
前記ビーコン・フレーム送信手段は、エントリ期間において、エントリ・フレームを受信することができず、且つ、ビーコン・フレーム送信前のキャリア・センスを通じて他のホスト及び端末が通信を開始し通信周波数チャネルがビジーとなったことを認識したことに応じて、ビーコン・フレームの送信を停止する、
ことを特徴とする請求項１０に記載の無線通信装置。
【請求項１２】
前記ビーコン・フレーム送信手段は、ある端末と通信を行なっている期間は、端末と通信を行なっている状態を報知するためのビジー・ビーコンを定期的に送信する、
ことを特徴とする請求項１０に記載の無線通信装置。
【請求項１３】
前記接続制御手段は、ユーザが選択した端末と接続を開始する、
ことを特徴とする請求項９に記載の無線通信装置。
【請求項１４】
反射波読取器を搭載したホストからの無変調キャリアに対する反射波にデータを重畳した変調反射波信号を送出する無線通信装置であって、
ホストから定期的に送信されるビーコン・フレームを受信するビーコン・フレーム受信手段と、
ビーコン・フレームの送信後に設けられるエントリ期間に渡ってホストから送出される無変調キャリアに対して反射波に重畳させてエントリ・フレームを返信するエントリ・フレーム送信手段と、
を具備することを特徴とする無線通信装置。
【請求項１５】
前記ビーコン・フレームには、ホストが使用する通信周波数チャネルの情報やホストの固有ＩＤなどからなるホスト情報が記載されており、
前記エントリ・フレーム送信手段は、当該ビーコン・フレームの送信元のホストと接続したい場合には、端末の固有ＩＤや設定可能な通信パラメータなどの情報をエントリ・フレームに記載し、
ホストから送信される接続要求フレームに応じて接続応答フレームを返信してホストとの間で通信接続を確立する接続制御手段をさらに備える、
ことを特徴とする請求項１４に記載の無線通信装置。
【請求項１６】
前記エントリ・フレーム送信手段は、ビーコン・フレームを受信した後に、ランダムなタイミングでエントリ・フレームを返信する、
ことを特徴とする請求項１５に記載の無線通信装置。
【請求項１７】
他の端末と通信を行なっているホストは通信を行なっている状態を報知するためのビジー・ビーコンを定期的に送信しており、
前記ビーコン・フレーム受信手段は、ビジー・ビーコンに含まれるインターバル情報を基に、インターバル毎にビジー・ビーコンの受信待ち受けを行なう、
ことを特徴とする請求項１６に記載の無線通信装置。
【請求項１８】
前記ビーコン・フレーム受信手段は、複数のホストから送信されたビーコン・フレームをすべて受信してエントリ・フレームを返信する複数ビーコン受信機能を備え、複数のホストから送信されたビーコン・フレームをすべて受信してエントリ・フレームを返信する、
ことを特徴とする請求項１４に記載の無線通信装置。
【請求項１９】
前記ビーコン・フレーム受信手段は、最初に受信したビーコン・フレームの送信元であるホストに同期して、以後そのホストのビーコン・フレームのみを受信する単一ビーコン受信機能を備える、
ことを特徴とする請求項１４に記載の無線通信装置。
【請求項２０】
前記ビーコン・フレーム受信手段は、あらかじめ登録されたホストからのビーコン・フレームのみを受信してエントリ・フレームを返信する指定ビーコン受信機能を備える、
ことを特徴とする請求項１４に記載の無線通信装置。
【手続補正２】
【補正対象書類名】明細書
【補正対象項目名】００１０
【補正方法】変更
【補正の内容】
【００１０】
ここで、図１２や図１３に示したように複数のホスト、又は複数の端末が存在する環境下で反射波伝送を行なう場合、各々のホストと端末が送受信のタイミングを制御しなければ、あるホストあるいは端末が送信したフレームが、他のホストや端末の通信を妨害しデータ伝送を困難にするという問題が発生してしまう。したがって、端末側の反射器や、ホスト側の反射波読取器などの無線通信機能は、通信状態にないホストや端末が他の反射波伝送を妨害することのないように通信接続や送受信のタイミングを制御する必要がある。
【手続補正３】
【補正対象書類名】明細書
【補正対象項目名】０１１８
【補正方法】変更
【補正の内容】
【０１１８】
接続状態に入ったホストと端末は、可変長フレームの送受信を行なう。可変長フレームを用いた反射波伝送によるフレーム交換シーケンスについては、例えば本出願人に既に譲渡されている特開２００７−１２９３１９号広報に開示されている方式を利用することができるので、本明細書では詳細な説明を省略する。